(57)【特許請求の範囲】
【請求項１】
ガラスの昇降方向に沿って設けられたガイドレールと、
案内部材を介して配索され、前記ガラスの昇降方向に沿って進退する箇所を有するワイヤと、
前記ガイドレールに移動可能に係合し、前記ガラスが取り付けられ、前記ワイヤが接続されるスライダと、
前記スライダに設けられ、前記ワイヤの端部に取り付けられたワイヤエンド部材，該ワイヤエンド部材を前記ワイヤの進退方向に案内するガイド，前記ワイヤを張る方向に前記ワイヤエンド部材を付勢するスプリングからなり、前記ワイヤを張る方向に付勢するたるみ取り機構と、
を有するウインドレギュレータの組立方法において、
前記ガイドに設けられ、その先端部が前記ワイヤがたるんだ状態の前記ワイヤエンド部材に当接するツメからなり、前記たるみ取り機構の前記ワイヤの付勢を禁止し、たるんだ状態で前記ワイヤを保持するストッパ手段を用いて前記ワイヤをたるませ、前記案内部材への前記ワイヤの配索を行なうことを特徴とするウインドレギュレータの組立方法。
【請求項２】
ストッパ手段を解除することで、前記たるみ取り機構の前記ワイヤの付勢を開放することを特徴とする請求項１記載のウインドレギュレータの組立方法。
【請求項３】
ガラスの昇降方向に沿って設けられたガイドレールと、
案内部材を介して配索され、前記ガラスの昇降方向に沿って進退する箇所を有するワイヤと、
前記ガイドレールに移動可能に係合し、前記ガラスが取り付けられ、前記ワイヤが接続されるスライダと、
前記スライダに設けられ、前記ワイヤの端部に取り付けられたワイヤエンド部材，該ワイヤエンド部材を前記ワイヤの進退方向に案内するガイド，前記ワイヤを張る方向に前記ワイヤエンド部材を付勢するスプリングからなり、前記ワイヤを張る方向に付勢するたるみ取り機構と、
を有するウインドレギュレータにおいて、
前記たるみ取り機構に、その先端部が前記ワイヤがたるんだ状態の前記ワイヤエンド部材に係合可能なツメからなり、前記ワイヤの付勢を禁止し、たるんだ状態で前記ワイヤを保持するストッパ手段を設けたことを特徴とするウインドレギュレータ。
【請求項４】
前記ツメは、
基端部が前記ガイドの前記ワイヤの進退方向に沿った２つの立壁に形成された凹部にそれぞれ形成され、
自然状態では、先端側が前記凹部外に延出し、
前記ワイヤをたるませる方向に移動する前記ワイヤエンド部材に押されて、前記先端側が前記凹部内に撓み、前記ワイヤエンド部材が通過すると、再び先端側が前記自然状態に復帰するように形成されていることを特徴とする請求項３記載のウインドレギュレータ。
【請求項５】
先端側を押すと、前記ツメが破断するノッチラインを前記各ツメの基端側に形成したことを特徴とする請求項４記載のウインドレギュレータ。
【発明の詳細な説明】
【技術分野】
【０００１】
本発明は、ガラスの昇降方向に沿って設けられたガイドと、案内部材を介して配索され、前記ガラスの昇降方向に沿って進退する箇所を有するワイヤと、前記ガイドに移動可能に係合し、前記ガラスが取り付けられ、前記ワイヤが接続されるスライダと、前記スライダに設けられ、張る方向に前記ワイヤを付勢するたるみ取り機構と、を有するウインドレギュレータおよびその組立方法に関する。
【背景技術】
【０００２】
図１１を用いて従来のウインドレギュレータを説明する。図において、ガラス２の昇降方向(図１１において矢印方向)に沿ってガイドレール１が設けられている。このガイドレール１の上部と下部とは車体側(ドアインナパネル)に取付けられる。
【０００３】
ガイドレール１に設けられたレール部１ａには、二つのスライダ３,４が摺動可能に係合している。これら二つのスライダ３,４には、スライダプレート６が設けられている。更に、ガラス２の下部と、スライダプレート６とがねじ７を用いて固着され、ガラス２は、ガイドレール１に沿って矢印方向に昇降可能となっている。
【０００４】
ガイドレール１の上部には、モータ８が設けられ、このモータ８の出力軸には、ドラム９が固着されている。ドラム９は、ガイドレール１にねじ４１でもって取付けられるカバー１０で覆われている。
【０００５】
ドラム９の円周面には、アッパワイヤ１１と、ロアワイヤ１２とが巻回されている。そして、ドラム９を一方の方向へ回転させると、アッパワイヤ１１がドラム９から繰りだされ、ロアワイヤ１２がドラム９に巻き取られるように、アッパワイヤ１１,ロアワイヤ１２はドラム９の円周面に巻かれている。
【０００６】
ドラム９から出たアッパワイヤ１１は、レール部１ａに沿って下方に向かって配索され、スライダプレート６に接続されている。ドラム９から出たロアワイヤ１２は、レール部１ａに沿って下方に向かって配索され、ガイドレール１の下部に回転可能に設けられたロアプーリ(案内部材)１３を介して、レール１ａに沿って上方に向かって配索され、スライダプレート６に接続されている。
【０００７】
次に、上記構成の作動を説明する。モータ８を駆動することにより、ドラム９が回転する。ドラム９の回転により、ドラム９に巻き掛けられたアッパワイヤ１１,ロアワイヤ１２のうちの一方側のワイヤはドラム９より繰出され、他方側のワイヤはドラム９に巻き取られる。これらアッパワイヤ１１,ロアワイヤ１２の移動により、スライダプレート６がガイドレール１に沿って移動し、ガラス２の昇降が行なわれる。
【０００８】
このようなウインドレギュレータにおいては、ワイヤのたるみをとるために、アッパワイヤ１１,ロアワイヤ１２は、たるみ取り機構１５を介してスライダプレート６に接続される。
【０００９】
ここで、たるみ取り機構１５の説明を行なう。
【００１０】
スライダプレート６には、ガラス２の昇降方向に沿ってガイド溝１９が形成されている。ガイド溝１９のガラス２の昇降方向と交差する内壁１９ａ,１９ｂには、アッパワイヤ１１,ロアワイヤ１２が挿通可能な穴１９ｃ１９ｄが形成されている。
【００１１】
外部からこれらの穴１９ｄ,１９ｃを挿通し、ガイド溝１９内に挿入されたアッパワイヤ１１,ロアワイヤ１２の先端部には、それぞれ同一構成のワイヤエンド部材１７が取り付けられている。ワイヤエンド部材１７は、円柱部１７ａと、円柱部１７ａの周面に形成されたつば部１７ｂとからなっている。そして、中間部がワイヤを巻回し、一端部がガイド溝１９の内壁１９ａ,１９ｂに、他端部がつば部１７ｂに当接するスプリング（付勢手段）２１により、アッパワイヤ１１,ロアワイヤ１２はたるまない方向に付勢されている（例えば、特許文献１参照）。
【先行技術文献】
【特許文献】
【００１２】
【特許文献１】特開平９-４９３６９号公報
【発明の概要】
【発明が解決しようとする課題】
【００１３】
上記構成のウインドレギュレータの組立工程において、ロアワイヤ１２をロアプーリ１３に掛合させる場合、たるみ取り機構のスプリング２１の付勢力に抗して、人手でロアワイヤ１２を引っ張り、ロアワイヤ１２をたるませ、ロアプーリ１３に掛けている。人手でロアワイヤ１２を引っ張るので、組み立てにくいという問題点がある。
【００１４】
本発明は、上記問題点に鑑みてなされたもので、その課題は、組立が容易なウインドレギュレータの組立方法およびウインドレギュレータを提供することにある。
【課題を解決するための手段】
【００１５】
上記課題を解決する請求項１に係る発明は、ガラスの昇降方向に沿って設けられたガイドレールと、案内部材を介して配索され、前記ガラスの昇降方向に沿って進退する箇所を有するワイヤと、前記ガイドレールに移動可能に係合し、前記ガラスが取り付けられ、前記ワイヤが接続されるスライダと、前記スライダに設けられ、前記ワイヤの端部に取り付けられたワイヤエンド部材，該ワイヤエンド部材を前記ワイヤの進退方向に案内するガイド，前記ワイヤを張る方向に前記ワイヤエンド部材を付勢するスプリングからなり、前記ワイヤを張る方向に付勢するたるみ取り機構と、を有するウインドレギュレータの組立方法において、前記ガイドに設けられ、その先端部が前記ワイヤがたるんだ状態の前記ワイヤエンド部材に当接するツメからなり、前記たるみ取り機構の前記ワイヤの付勢を禁止し、たるんだ状態で前記ワイヤを保持するストッパ手段を用いて前記ワイヤをたるませ、前記案内部材への前記ワイヤの配索を行なうことを特徴とするウインドレギュレータの組立方法である。
【００１６】
請求項２に係る発明は、ストッパ手段を解除することで、前記たるみ取り機構の前記ワイヤの付勢を開放することを特徴とする請求項１記載のウインドレギュレータの組立方法である。
【００１９】
請求項３に係る発明は、ガラスの昇降方向に沿って設けられたガイドレールと、案内部材を介して配索され、前記ガラスの昇降方向に沿って進退する箇所を有するワイヤと、前記ガイドレールに移動可能に係合し、前記ガラスが取り付けられ、前記ワイヤが接続されるスライダと、前記スライダに設けられ、前記ワイヤの端部に取り付けられたワイヤエンド部材，該ワイヤエンド部材を前記ワイヤの進退方向に案内するガイド，前記ワイヤを張る方向に前記ワイヤエンド部材を付勢するスプリングからなり、前記ワイヤを張る方向に付勢するたるみ取り機構と、を有するウインドレギュレータにおいて、前記たるみ取り機構に、その先端部が前記ワイヤがたるんだ状態の前記ワイヤエンド部材に係合可能なツメからなり、前記ワイヤの付勢を禁止し、たるんだ状態で前記ワイヤを保持するストッパ手段を設けたことを特徴とするウインドレギュレータである。
【００２１】
請求項４に係る発明は、前記ツメは、基端部が前記ガイドの前記ワイヤの進退方向に沿った２つの立壁に形成された凹部にそれぞれ形成され、自然状態では、先端側が前記凹部外に延出し、前記ワイヤをたるませる方向に移動する前記ワイヤエンド部材に押されて、前記先端側が前記凹部内に撓み、前記ワイヤエンド部材が通過すると、再び先端側が前記自然状態に復帰するように形成されていることを特徴とする請求項３記載のウインドレギュレータである。
【００２２】
請求項５に係る発明は、先端側を押すと、前記ツメが破断するノッチラインを前記各ツメの基端側に形成したことを特徴とする請求項４記載のウインドレギュレータである。
【発明の効果】
【００２３】
請求項１−２に係る発明によれば、前記たるみ取り機構の前記ワイヤの付勢を禁止し、たるんだ状態で前記ワイヤを保持するストッパ手段を用いて前記ワイヤをたるませ、前記案内部材への前記ワイヤの配索を行なうことにより、人手でワイヤを引っ張らなくてよいので、組立が容易となる。
【００２４】
請求項３−５に係る発明によれば、前記たるみ取り機構に、前記ワイヤの付勢を禁止し、たるんだ状態で前記ワイヤを保持するストッパ手段を設けたことにより、人手でワイヤを引っ張らなくて、前記案内部材への前記ワイヤの配索が行えるので、組立が容易となる。
【図面の簡単な説明】
【００２５】
【図１】図２の切断線Ｃ−Ｃでの断面図であってウインドレギュレータ組立時を説明する図である。
【図２】実施形態のウインドレギュレータの正面図である。
【図３】図２の切断線Ｂ−Ｂでの断面図である。
【図４】図２の切断線Ｃ−Ｃでの断面図である
【図５】図１の切断線Ｄ−Ｄでの断面図である。
【図６】たるみ取り機構の組み立て説明する図である。
【図７】たるみ取り機構の組み立て説明する図である。
【図８】図５のＥ部分の拡大斜視図である。
【図９】他の実施の形態のハウジングに治具が係合した状態を説明する図である。
【図１０】は図９の切断線Ｅ−Ｅでの断面図である。
【図１１】従来のウインドレギュレータを説明する図である。
【発明を実施するための形態】
【００２６】
まず、図２−図４を用いて、実施形態のウインドレギュレータを説明する。図２は実施形態のウインドレギュレータの正面図、図３は図２の切断線Ｂ−Ｂでの断面図、図４は図２の切断線Ｃ−Ｃでの断面図である。
【００２７】
図２において、ガラス３２の昇降方向(図２において矢印方向)に沿ってガイドレール３１が設けられている。このガイドレール３１の上部と下部とは車体側(ドアインナパネル)に取付けられる。
【００２８】
ガイドレール３１に設けられたレール部３１ａには、二つのスライダ３３,３４が摺動可能に係合している。これら二つのスライダ３３,３４には、金属製のスライダプレート３６が設けられている。更に、ガラス３２の下部と、スライダプレート３６とがねじ３７を用いて固着され、ガラス３２は、ガイドレール３１に沿って矢印方向に昇降可能となっている。
【００２９】
ガイドレール３１の上部には、モータ３８が設けられ、このモータ３８の出力軸には、ドラム３９が固着されている。ドラム３９は、ガイドレール３１にねじでもって取付けられるカバー４０で覆われている。
【００３０】
図３に示すように、ドラム３９の円周面には、らせん状に溝３９ａが形成され、アッパワイヤ４１と、ロアワイヤ４２とが巻回されている。そして、ドラム３９を一方の方向へ回転させると、アッパワイヤ４１がドラム３９から繰りだされ、ロアワイヤ４２がドラム３９に巻き取られるように、アッパワイヤ４１,ロアワイヤ４２はドラム３９の円周面に巻かれている。
【００３１】
図２に戻って、ドラム３９から出たアッパワイヤ４１は、レール部３１ａに沿って下方に向かって配索され、後述するたるみ取り機構４５を介してスライダプレート３６に接続されている。ドラム３９から出たロアワイヤ４２は、レール部３１ａに沿って下方に向かって配索され、ガイドレール３１の下部に回転可能に設けられたロアプーリ(案内部材)４３介して、レール部３１ａに沿って上方に向かって配索され、後述するたるみ取り機構４５を介してスライダプレート３６に接続されている。
【００３２】
ここで、図２、図４を用いてたるみ取り機構４５の説明を行なう。
【００３３】
スライダプレート３６には、ガラス３２の昇降方向に沿って矩形の穴３６ａが形成され、この穴３６ａに射出成形法等により、一面が開放された箱状のハウジング５０が取り付けられている。
【００３４】
ハウジング５０は、ガラス３２の昇降方向と交差する壁部５０ａ,５０ｂと、ハウジング５０のワイヤ４２の進退方向に沿った２つの壁部５０ｅ,５０ｆとを有している。
【００３５】
壁部５０ａ,５０ｂには、穴５０ｃ,５０ｄが形成されている。これらの穴５０ｃ,５０ｄに、アッパワイヤ４１,ロアワイヤ４２が挿通可能な穴が形成されたブッシュ５３が嵌合している。
【００３６】
ハウジング５０の壁部５０ａ,５０ｂと、壁部５０ｅ,５０ｆとに囲まれた空間Ｓ１には、一方の面が開放面となった有底円筒状のワイヤエンド部材５２が２つ配置されている。これら２つのワイヤエンド部材５２は、それぞれの開放面が対向するように配置されている。また、ワイヤエンド部材５２の開放面側の周面には、つば部５２ａが形成されている。更に、ワイヤエンド部材５２の底部には、穴５２ｂが形成されている。よって、ワイヤエンド部材５２が配置されるハウジング５０の空間Ｓ１は、ワイヤエンド部材５２のワイヤエンド部材５２をワイヤの進退方向に案内するガイドとして機能する。
【００３７】
ハウジング５０の外部からブッシュ５３の穴を挿通し、ハウジング５０内に挿入され、更に、ワイヤエンド部材５２の穴５２ｂを挿通し、ワイヤエンド部材５２内へ進入したアッパワイヤ４１,ロアワイヤ４２の先端部には、抜け止め部材５５がかしめ等の手法により取り付けられている。そして、中間部がワイヤを巻回し、一端部がハウジング５０の壁部５０ａ,５０ｂに、他端部がワイヤエンド部材５２のつば部５２ａに当接するスプリング（付勢手段）５７により、アッパワイヤ４１,ロアワイヤ４２はたるまない方向に付勢されている。
【００３８】
ここで、上記構成の作動を説明する。モータ３８を駆動することにより、ドラム３９が回転する。ドラム３９の回転により、ドラム３９に巻き掛けられたアッパワイヤ４１,ロアワイヤ４２のうちの一方側のワイヤはドラム３９より繰出され、他方側のワイヤはドラム３９に巻き取られる。これらアッパワイヤ４１,ロアワイヤ４２の移動により、スライダプレート３６がガイドレール３１に沿って移動し、ガラス３２の昇降が行なわれる。
【００３９】
次に、図１、図５、図８を用いて、たるみ取り機構４５に設けられ、ワイヤの付勢を禁止し、たるんだ状態でワイヤを保持するストッパ手段の説明を行なう。図１は図２の切断線Ｃ−Ｃでの断面図であってウインドレギュレータ組立時を示す図、図５は図１の切断線Ｄ−Ｄでの断面図、図８は図５のＥ部分の拡大斜視図である。
【００４０】
図１、図５に示すように、ハウジング５０のワイヤの進退方向に沿った２つの壁部５０ｅ,５０ｆには、凹部５０ｇ,５０ｈが形成されている。この凹部５０ｇによって形成される空間Ｓ２には、アッパワイヤ４１のワイヤエンド部材５２、ロアワイヤ４２のワイヤエンド部材５２に係合可能なツメ１０３,１０５が形成されている。同様に、凹部５０ｈによって形成される空間Ｓ３も、アッパワイヤ４１のワイヤエンド部材５２、ロアワイヤ４２のワイヤエンド部材５２に係合可能なツメ１０３,１０５が形成されている。
【００４１】
凹部５０ｇ,凹部５０ｈに形成される一対のツメ１０３の形状は、凹部５０ｇ,凹部５０ｈの底面からワイヤエンド部材５２の移動方向と交差する方向に延出する立ち上がり部１０３ａと、立ち上がり部１０３ａから折曲し、先端側がワイヤエンド部材５２が移動する空間Ｓ１内（凹部５０ｇ，凹部５０ｈ外）に延出するとともに、係合するワイヤエンド部材５２に向かって先端部が互いに近づく方向に延出する係合部１０３ｂとからなっている。よって、ツメ１０３は、先端部がワイヤエンド部材５２のつば部５２ａに当接（係合）し、スプリング５７のアッパワイヤ４１の付勢を禁止し、たるんだ状態でアッパワイヤ４１を保持するストッパ手段１０１となっている。
【００４２】
同様に、凹部５０ｇ,凹部５０ｈに形成される一対のツメ１０５の形状も、凹部５０ｇ,凹部５０ｈの底面からワイヤエンド部材５２の移動方向と交差する方向に延出する立ち上がり部１０５ａと、立ち上がり部１０５ａから折曲し、凹部５０ｇ,５０ｈからワイヤエンド部材５２が移動する空間Ｓ１内に延出するとともに、係合するワイヤエンド部材５２に向かって先端部が互いに近づく方向に延出する係合部１０５ｂとからなっている。よって、ツメ１０５は、先端部がワイヤエンド部材５２のつば部５２ａに当接（係合）し、スプリング５７のロアワイヤ４２の付勢を禁止し、たるんだ状態でロアワイヤ４２を保持するストッパ手段１０１となっている。
【００４３】
図８に示すように、ツメ１０５の立ち上がり部１０５ａのハウジング５０の開放面に臨む面には、Ｖ溝状のノッチライン１０５ｃが形成されている。このノッチライン１０５ｃは、凹部５０ｈによって形成される空間Ｓ３内に位置するように設けられている。また、ツメ１０３の立ち上がり部１０３ａのハウジング５０の開放面に臨む面にも、ノッチラインが形成されている。このノッチラインも、凹部５０ｇにによって形成される空間Ｓ２内に位置するように設けられている。そして、ツメ１０３,１０５の先端側をノッチライン１０３ｃ,１０５ｃの開口から底方向に向かって押すと、ノッチライン１０３ｃ,１０５ｃ部分で破断するようになっている。
【００４４】
次に、図５−図７を用いて、たるみ取り機構４５の組立方法を説明する。図６、図７はたるみ取り機構の組み立てを説明する図である。
【００４５】
まず、たるみ取り機構４５にワイヤを組み付けていない状態では、図６に示すように、ツメ１０３,１０５の先端側が、ワイヤエンド部材５２の移動空間内、即ちガイド内に延出している。
【００４６】
次に、図７に示すように、ハウジング５０内にスプリング５７を配置し、ハウジング５０の外部からブッシュ５３の穴,スプリング５７内にロアワイヤ４２を通し、ワイヤエンドにワイヤエンド部材５２を抜け止め部材５５を用いて取り付ける。そして、スプリング５７の付勢力に抗して、ロアワイヤ４２をたるませる方向に移動させる。この時、ツメ１０５はワイヤエンド部材５２に押されて、先端側が凹部５０ｇ,５０ｈ内に撓む。
【００４７】
そして、ワイヤエンド部材５２が通過すると、再び先端側がガイド内に位置するように復帰し、図５に示すように、ツメ１０５は、先端部がワイヤエンド部材５２のつば部５２ａに当接し、スプリング５７のロアワイヤ４２の付勢を禁止し、たるんだ状態でロアワイヤ４２を保持する。ロアワイヤ４２が撓んだ状態で、ロアワイヤ４２をロアプーリ４３へ係合させ、ロアワイヤ４２の配索を行なう。アッパワイヤ４１側の組立も同様である。
【００４８】
たるみ取り機構４５の組立が終了すると、ツメ１０３,１０５の先端側をノッチライン１０３ｃ,１０５ｃの開口から底方向に向かって押し、ノッチライン１０３ｃ,１０５ｃ部分で破断し、ノッチライン１０３ｃ,１０５ｃより先端側のツメ１０３,１０５を除去する。すると、図４に示すように、スプリング５７の付勢力により、アッパワイヤ４１,ロアワイヤ４２は張る方向に付勢される。
【００４９】
このような構成によれば、たるみ取り機構４５に、ワイヤの付勢を禁止し、たるんだ状態でワイヤを保持するツメ（ストッパ手段）１０３，１０５を設けたことにより、人手でワイヤを引っ張らなくて、ロアプーリ（案内部材）４３へのロアワイヤ４２の配索が行えるので、組立が容易となる。
【００５０】
なお、本発明は、上記実施の形態例に限定するものではない。上記実施形態例では、ワイヤの付勢を禁止し、たるんだ状態でワイヤを保持するストッパ手段をたるみ取り機構に設けたが、ハウジング５０に係脱可能に設けられる治具１３１であってもよい。図９はハウジングに治具が係合した状態を説明する図、図１０は図９の切断線Ｅ−Ｅでの断面図である。
【００５１】
これらの図において、治具１３１は、スプリング５７の付勢力に抗して、アッパワイヤ４１,ロアワイヤ４２を引っ張り、アッパワイヤ４１のワイヤエンド部材５２とロアワイヤ４２のワイヤエンド部材５２との間隔をあけた状態で、アッパワイヤ４１のワイヤエンド部材５２とロアワイヤ４２のワイヤエンド部材５２との間に治具１３１を挿入する。すると、アッパワイヤ４１,ロアワイヤ４２がたるんだ状態でワイヤエンド部材５２が保持される。そして、ロアワイヤ４２が撓んだ状態で、ロアワイヤ４２をロアプーリ４３へ係合させ、ロアワイヤ４２の配索を行なう。
【００５２】
たるみ取り機構４５の組立が終了すると、治具１３１を取り除く。すると、図４に示すように、スプリング５７の付勢力により、アッパワイヤ４１,ロアワイヤ４２は張る方向に付勢される。
【００５３】
このような構成でも、治具１３１を用いることにより、人手でワイヤを引っ張らなくて、ロアプーリ（案内部材）４３へのロアワイヤ４２の配索が行えるので、組立が容易となる。
【００５４】
また、上記実施形態例では、金属製のスライダプレート３６に、射出成形法等により、たるみ取り機構４５の樹脂製のハウジング５０を形成したが、たるみ取り機構のハウジングと、スライダプレートとを樹脂の一体成形で形成してもよい。
【００５５】
更に、上記実施の形態例では、ガラス３２は、ねじ３７を用いてスライダプレート３６に直接取り付けていたが、ガラスの下部に設けられるガラスホルダを介してスライダプレートに取り付けるようにしてもよい。
【符号の説明】
【００５６】
４５  たるみ取り機構
４１アッパワイヤ
４２  ロアワイヤ
５２  ケーブルエンド
５７  スプリング
１０１  ストッパ手段
１０３,１０５  ツメ
【図１】
0005638888.tif 000002
【図２】
0005638888.tif 000003
【図３】
0005638888.tif 000004
【図４】
0005638888.tif 000005
【図５】
0005638888.tif 000006
【図６】
0005638888.tif 000007
【図７】
0005638888.tif 000008
【図８】
0005638888.tif 000009
【図９】
0005638888.tif 000010
【図１０】
0005638888.tif 000011
【図１１】
0005638888.tif 000012